(57)【特許請求の範囲】
【請求項１】
人工芝など敷物を芯材に巻き取りまたは繰り出しながら、会場の片側から反対側へ移動する台車を備える人工芝など敷物の設置撤去装置において、台車の移動方向に対峙する観客席の下方空間に、敷物の設置面と同じ高さに連続する床面を設けた台車の収納スペースに形成し、対の収納スペースを会場の両側で台車の進行方向に対峙する位置に設け、片側の収納スペースに設置前の敷物を巻いて台車と共に格納し、台車を会場の片側から反対側へ移動して会場に敷物を設置した後に、反対側の収納スペースに台車を格納する構成としたことを特徴とする人工芝など敷物の設置撤去装置。
【請求項２】
油圧シリンダによって上下に回動可能な可動観客席を設け、可動観客席が上下に回動して収納スペースの入り口を開閉する構成としたことを特徴とする請求項１に記載の設置撤去装置。
【発明の詳細な説明】
【０００１】
【産業上の利用分野】
この発明は人工芝など敷物の設置巻取装置に関する。
【０００２】
【従来の技術】
室内競技場や体育館および多目的ホールなどにおいては、競技やイベントの内容に応じて、人工芝など敷物を設置したり撤去したりすることが要求される。このような入れ替えが短時間に行え、それに人手も省略できれば、床面の多目的利用効率は大幅に向上する。そのため、若干の装置を投入して人海戦術を機械化する例も見られる。例えば、人工芝は数ｍ幅の帯状に形成されるが、これをロールに巻いておき、設置の際にフォークリフトなどで球場内へ搬入し、並べて順々に展開装置で敷き詰めてゆく。その撤去時には展開装置を逆に操作することで人工芝をロールに巻いて、フォークリフトで収納場所に格納するようにしている。
【０００３】
【発明が解決しようとする課題】
しかしながら、このような従来例でも人工芝の枚数が嵩むため、その設置および撤去に多くの時間と労力が必要で、イベントなどのスケジュールによっては徹夜作業を強いられたり、人件費も余計に掛かったりするばかりでなく、何よりも作業時間が長ければ、その分だけ床面の稼働効率が低下するという問題点があった。
【０００４】
この発明はこのような問題点を考慮してなされたもので、人工芝などの設置および撤去を効率よく短時間で行える装置の提供を目的とする。
【０００５】
【課題を解決するための手段】第１の発明では、人工芝など敷物を芯材に巻き取りまたは繰り出しながら、会場の片側から反対側へ移動する台車を備える人工芝など敷物の設置撤去装置において、台車の移動方向に対峙する観客席の下方空間に、敷物の設置面と同じ高さに連続する床面を設けた台車の収納スペースに形成し、対の収納スペースを会場の両側で台車の進行方向に対峙する位置に設け、片側の収納スペースに設置前の敷物を巻いて台車と共に格納し、台車を会場の片側から反対側へ移動して会場に敷物を設置した後に、反対側の収納スペースに台車を格納する構成とした。
【０００６】
第２の発明では、第１の発明において、油圧シリンダによって上下に回動可能な可動観客席を設け、可動観客席が上下に回動して収納スペースの入り口を開閉する構成とした。
【０００７】
【作用】
第１の発明によれば、人工芝など敷物は芯材に巻いて台車と共に片側の収納スペースに格納される。敷物の設置時にはその台車を収納スペースから会場内へ移動させる共に、敷物の先端部を設置面の一側に固定するなど下準備が完了したら、台車を会場の反対側へ向けて走行させる。台車の進行に伴って芯材が敷物を繰り出すので、敷物は設置面に展開して敷き詰められてゆく。台車が設置面の他側に達したら、敷物が芯材から解けるから、後は空の芯材を搭載する台車をそのまま反対側の収納スペースに格納することで、会場に短時間で効率よく敷物を設置できる。また、敷物を撤去するときには前期と逆の形で、芯材に敷物を巻いてもとの収納スペースに格納すれば良く、その作業も台車の格納を含めて能率的に処理できる。
【０００８】
第２の発明によれば、第１の発明における収納スペースの入り口を可動観客席で開閉するので、会場の見栄えと空間の有効利用を最大限に確保することが可能になる。
【０００９】
【実施例】
図１、図２において、は人工芝２ａの巻き胴２を載せる台車１のフレーム３で、巻き胴２の長さに相当する車幅に形成される。フレーム３の前後に床面を転がる数多くの走行ローラ８ａ，８ｂが車幅方向へ同軸上にそれぞれ２列に配置される。これらのローラ８ａ，８ｂはこの場合、ウレタンゴムローラが使用され、フレーム３の前後に二軸車輪を構成するように２つを１組としてイコライザ９でその支軸１０を介して揺動自由に支持される。
【００１０】
フレーム３上には車幅方向へ所定間隔毎に起立する軸受板１１が設けられ、これら板１１間にそれぞれ前後の軸受５ａ，５ｂで平行に支持ローラ４ａ，４ｂが１組ずつ取り付けられる。各組の支持ローラ４ａ，４ｂを同じ方向へ回転させるのがエンドレスベルト６で、ベルト６はローラ４ａと４ｂ間に掛け回され、その上側を搭載面３０として人工芝２ａの巻き胴２を支持するようになっている。７は敷物をロールに巻くドラムを示す。
【００１１】
軸受板１１を挟んで隣合う支持ローラ４ａと４ａならびに４ｂと４ｂは、互いに台車１の車幅方向へ同軸上に配置される。１２は人工芝２ａの繰り出しおよび巻き取りを案内するガイドローラ、１３はエンドレスベルト６の張り具合を加減するテンション調整ローラで、これらも支持ローラ４ａ，４ｂと同じくそれぞれ車幅方向へ同軸上に並べて軸受板１１に取り付けられる。
【００１２】
走行ローラ８ａ，８ｂを正方向または逆方向へ回転させる走行駆動装置（モータ）１４と、エンドレスベルト６を同じく進行させるベルト駆動装置１５がフレーム３上に搭載される。走行駆動装置１４は軸受板１１間毎に配置され、プーリ１６，１７とタイミングベルト１８でイコライザ９の両端に位置する１組の走行ローラ８ａへ回転力を伝達する。
【００１３】
ベルト駆動装置１５については、隣合う支持ローラの２本ずつをカップリング１９で連結することで軸受板１１間の１つ置きに配置され、プーリ２０，２１とタイミングベルト２２でエンドレスベルト６の片側に位置する支持ローラ４ａへ回転力を伝達する。なお、これらの駆動装置１４，１５は減速機付きモータで構成される。２３は駆動装置１４，１５への電源バッテリ、７は巻き胴２のドラムを示す。
【００１４】
人工芝２ａの設置前または設置後の台車１を格納する必要から、図３に示すように会場の固定観客席２６の下方に収納スペース３０ａ，３０ｂが設けられる。これらスペース３０ａ，３０ｂは人工芝２ａの設置面と同じ高さに連続する床面を備え、会場の両側で台車１の進行方向に対峙する位置関係に構成される。この場合、片側のスペース３０ａで設置前の人工芝２ａをドラム７に巻いて台車１と共に格納する一方、反対側のスペース３０ｂで空のドラム７を搭載する台車１を格納するので、スペース３０ａの入り口はスペース３０ｂに較べて高さ寸法を広く形成される。
【００１５】
スペース３０ａの広い入り口を開閉するため、固定観客席２６の前方に可動観客席２６ａが設けられる。可動観客席２６ａは固定観客席２６の下面にヒンジで結合され、可動観客席２６ａを上下方向へ回動させる油圧シリンダ２８ａが介装される。スペース３０ｂについては固定観客席２６が広く確保できるので、その入り口を開閉する扉板２７が固定観客席２６の下面にヒンジで結合され、油圧シリンダ２８ｂにより上下方向へ回動するようになっている。
【００１６】
なお、人工芝２ａは数ｍ幅の帯状に生産される規格品を横に並べて接合することで、台車１のドラム７と同じ横幅に形成される。スペース３０ａ，３０ｂの間口は当然のことながら、少なくともドラム７の全長にわたる大きさに設定される。
【００１７】
次に作用について説明する。人工芝２ａを会場内に敷設する場合、図３の可動観客席２６ａおよび反対側の扉板２７をそれぞれ油圧シリンダ２８ａ，２８ｂの伸出で上方の開き位置に駆動すると共に、収納スペース３０ａから会場内の片側へ台車１を移動させる。
【００１８】
人工芝２ａの先端部を設置面に固定するなど下準備が完了したら、走行駆動装置１４およびベルト駆動装置１５を１つのスイッチ操作で同時に作動させると、走行ローラ８ａ，８ｂの回転で台車１が移動する。これと同時に、エンドレスベルト６が支持ローラ４ａ，４ｂの回転で搭載する巻き胴２の外周を回わすので、人工芝２ａはエンドレスベルト６の進行に伴って巻き胴２から繰り出され、設置面に展開して敷き詰められてゆく。
【００１９】
人工芝２ａの繰り出し量または巻き取り量はエンドレスベルト６の進行量と一致するため、巻く胴２のドラム７を軸回転させる場合に較べると、巻き胴２の回転速度をその巻き数（外径）に応じて台車１の走行速度に合わせる面倒な制御を行う必要はない。
【００２０】
巻き胴２の重量はフレーム３の車幅方向へ前後２列に連なる走行ローラ８ａ，８ｂで支持されるので、台車１の移動する床面への荷重が巻き胴２の全幅へ平均的に分布され、仮に人工芝２ａの横幅が増加しても、同じ巻き数であれば一定の床面圧に保てる。つまり、人工芝２ａの巻き胴２を既述のように長くできるため、数ｍ幅で帯状の人工芝を数多く使用しなくて済むため、人工芝２ａの設置および撤去を短時間で効率よく行うことができる。
【００２１】
人工芝２ａなど厚手の敷物は巻き胴２が緩みやすいが、走行駆動とベルト駆動との間で走行ローラ８ａ，８ｂと支持ローラ４ａ，４ｂに適度の回転差を与えれば、人工芝２ａを繰り出したり巻き取ったりする際の張り加減を容易にうまく調整することも可能になる。
【００２２】
台車１が設置面の他側に達すると、人工芝２ａがドラム７から解けるから、後は人工芝２ａ全体の固定を行うと共に、空のドラム７を搭載する台車をそのまま反対側の収納スペースへと進行させる。台車１の格納が完了したら、油圧シリンダ２８ａ，２８ｂを収縮して扉板２７と可動観客席２６ａを閉じ位置に戻すと、可動観客席２６ａは通常通りに使用できると共に、台車１が扉板２７で隠されるため、会場の見栄えも良好に維持できる。
【００２３】
人工芝２ａを撤去するときには前記と逆の形で、収納スペース３０ｂから空のドラム７を搭載する台車１を会場内へ移動させると共に、ドラム７に人工芝２ａの端末を掛けてエンドレスベルト６で回転を与えることで巻き取りながら、もとの収納スペース３０ａへ向けて台車１を走行させれば良く、その作業も台車１の格納を含めて能率的に処理できる。
【００２４】
【発明の効果】以上要するに第１の発明によれば、人工芝など敷物を芯材に巻き取りまたは繰り出しながら、会場の片側から反対側へ移動する台車を備える人工芝など敷物の設置撤去装置において、台車の移動方向に対峙する観客席の下方空間に、敷物の設置面と同じ高さに連続する床面を設けた台車の収納スペースに形成し、対の収納スペースを会場の両側で台車の進行方向に対峙する位置に設け、片側の収納スペースに設置前の敷物を巻いて台車と共に格納し、台車を会場の片側から反対側へ移動して会場に敷物を設置した後に、反対側の収納スペースに台車を格納する構成としたので、敷物の設置および撤去を台車の格納を含めて能率的に処理できる。また、空間的な有効利用が図れると共に、特別な収納場所や専用の収納設備が不要なため、低いコストで台車の格納を実現できる。
【００２５】
第２の発明によれば、第１の発明において、油圧シリンダによって上下に回動可能な可動観客席を設け、可動観客席が上下に回動して収納スペースの入り口を開閉する構成としたので、可動観客席は台車を格納する際を除いて通常通りに使用できるのに加えて、その裏側に台車を隠せるから会場の見栄えも良好に維持できるという効果も得られる。
【図面の簡単な説明】
【図１】この発明の実施例を示す側断面図である。
【図２】同じく縦断面図である。
【図３】同じく台車の収納状態を表す説明図である。
【符号の説明】
１  台車
２  人工芝の巻き胴
３  フレーム
４ａ，４ｂ  支持ローラ
６  エンドレスベルト
８ａ，８ｂ  走行ローラ
１４  走行駆動装置
１５  ベルト駆動装置
２６  固定観客席
２６ａ  可動観客席
２７  扉板
２８ａ，２８ｂ  油圧シリンダ
３０ａ，３０ｂ  収納スペース
【図１】
0003638636.tif 000002
【図２】
0003638636.tif 000003
【図３】
0003638636.tif 000004